(57)【特許請求の範囲】
【請求項１】
カメラを有し、第１の筐体と第２の筐体がヒンジ部を介して連結され、前記ヒンジ部を軸として開閉可能なカメラ付き折畳式携帯電話装置であり、前記第１の筐体の、筐体を閉じた状態では露出しない面に、第１の表示部が配置され、該第１の表示部の配置された面の裏面側に第２の表示部と前記カメラとが配置され、筐体を閉じた状態で、前記第２の筐体の前記第１の表示部と対向する面には操作部が配置され、
セルフタイマーモードでは、前記第２の表示部に撮影までの残り時間を表示した後に撮影を行い、セルフタイマーモードでない場合には、前記第２の表示部に被写体へのメッセージを表示した後に撮影を行うことを特徴とするカメラ付き折畳式携帯電話装置。
【発明の詳細な説明】
【０００１】
【発明の属する技術分野】
本発明は、開閉可能な携帯電話装置にカメラを設けたカメラ付き折畳式携帯電話装置に関する。
【０００２】
【従来の技術】
近年、カメラ付き携帯電話装置が普及している。そして、カメラ付き携帯電話装置は、一般にセルフタイマー機能を有している。セルフタイマー機能を有する従来のカメラ付き携帯電話装置の外観の一例を図５に示す。図５（ａ）は正面斜視図であり、図５（ｂ）は背面斜視図である。
【０００３】
カメラ付き携帯電話装置５００は、筐体５０１と筐体５０２とがヒンジ５０３によって互いに折り畳み可能な折り畳み構造の携帯電話装置である。スピーカ５０４とメインＬＣＤ（Liquid Crystal Display）５０５とが筐体５０１の正面に設けられ、キー入力部５０６とマイクロホン５０７とが筐体５０２の正面に設けられる。また、筐体５０１と筐体５０２とが折り畳まれた状態のときにアンテナ状況、バッテリ残量、着信の有無等をユーザに報知するサブＬＣＤ５０９が筐体５０１の背面に設けられ、ＣＣＤ（Charge Coupled Device）カメラ５０８の入像用レンズ５０８１とアンテナ１０と表示用ＬＥＤ（Light Emitting Diode）５１１とが筐体５０２の背面に設けられる。表示用ＬＥＤ５１１は、ＣＣＤカメラ５０８の被写体（人物）から視認可能な位置に設けられる。
【０００４】
ユーザのキー操作により、セルフタイマーモードが選択されると、内部タイマーが起動し、表示用ＬＥＤ５１１が点滅し始める。その後、時間の経過に伴い、段階的に表示用ＬＥＤ５１１の点滅周期が短くなる。そして、所定の期間経過後に、自動的に静止画が撮影される。撮影が終了すると表示用ＬＥＤ５１１は消灯する。このように表示用ＬＥＤ５１１の点滅周期を変化させることによって、被写体（人物）にシャッタータイミングを知らせることができる。また、セルフタイマーモードでのシャッタータイミングを音によって被写体（人物）に報知するカメラ付き携帯電話装置もある。
【０００５】
【発明が解決しようとする課題】
しかしながら、光や音による報知では被写体（人物）にセルフタイマーモードでのシャッタータイミングの目安を伝えることはできても正確なシャッタータイミングを伝えることはできなかった。また、光や音による報知ではシャッタータイミング等の単純な情報しか被写体（人物）に伝えることができなかった。
【０００６】
本発明は、上記の問題点に鑑み、カメラ撮影の際に詳細な情報を被写体に報知することができるカメラ付き携帯電話装置及びカメラ撮影の際に詳細な情報を被写体に報知する動作をカメラ付き携帯電話装置が行うためのプログラムを提供することを目的とする。
【０００７】
【課題を解決するための手段】
本発明は、カメラを有し、第１の筐体と第２の筐体がヒンジ部を介して連結され、前記ヒンジ部を軸として開閉可能なカメラ付き折畳式携帯電話装置であり、前記第１の筐体の、筐体を閉じた状態では露出しない面に、第１の表示部が配置され、該第１の表示部の配置された面の裏面側に第２の表示部と前記カメラとが配置され、筐体を閉じた状態で、前記第２の筐体の前記第１の表示部と対向する面には操作部が配置され、セルフタイマーモードでは、前記第２の表示部に撮影までの残り時間を表示した後に撮影を行い、セルフタイマーモードでない場合には、前記第２の表示部に被写体へのメッセージを表示した後に撮影を行うことを特徴とする。
【０００８】
請求項１記載のカメラ付き折畳式携帯電話装置であり、撮影時に前記第２の表示部に撮影時に必要な情報を表示することを特徴とするカメラ付き折畳式携帯電話装置、である。
【００１１】
【発明の実施の形態】
以下に本発明の一実施形態について図面を参照して説明する。本発明に係るカメラ付き携帯電話装置の外観の一例を図１に示す。図１（ａ）は正面斜視図であり、図１（ｂ）は背面斜視図である。
【００１２】
カメラ付き携帯電話装置１００は、筐体１と筐体２とがヒンジ３によって互いに折り畳み可能な折り畳み構造の携帯電話装置である。スピーカ４とメインＬＣＤ５とが筐体１の正面に設けられ、キー入力部６とマイクロホン７とが筐体２の正面に設けられる。また、ＣＣＤカメラ８の入像用レンズ８１とサブＬＣＤ９とが筐体１の背面に設けられ、アンテナ１０が筐体２の背面に設けられる。
【００１３】
このようにＣＣＤカメラ８のレンズ８１とサブＬＣＤ９とが筐体１の同一面に設けられているので、図２に示すように筐体１と筐体２を９０度に折り畳み筐体２の背面を台にして撮影を行う場合でも被写体（人物）がサブＬＣＤ９の画面を視認することができる。また、ＣＣＤカメラ８のレンズ８１とサブＬＣＤ９とが筐体１の同一面に設けられているので、サブＬＣＤ９をＣＣＤカメラ８のレンズ８１の近傍に設けることができる。これにより、カメラ撮影時に被写体（人物）がサブＬＣＤ９の画面を見る場合でも被写体（人物）の目線がＣＣＤカメラ８のレンズ８１から大きくはずれなくなる。
【００１４】
なお、カメラ付き携帯電話装置１００は外付けのストロボ装置（図示せず）が装着可能である。
【００１５】
図３は、図１に示したカメラ付き携帯電話装置１００の回路ブロック図である。なお、図３において、電話機能に関する回路ブロックは本発明の特徴部分ではないので図示を省略するが、当然のことながらカメラ付き携帯電話装置１００は、アンテナ、無線部、スピーカ、マイクロホン、音声処理部、及び音声符号化部等の電話機能に関する回路ブロックも備えている。また、図３において図１と同一の部分には同一の符号を付す。
【００１６】
ＣＰＵ（Central Processor Unit）１１は、キー入力部６及びサブＬＣＤ９に接続され、さらにバス１６を介してＣＣＤカメラ８、フラッシュメモリ１２、ＲＯＭ（Read Only Memory）１３、及び画像処理回路１４に接続される。また、ＣＣＤカメラ８が画像処理回路１４に接続され、画像処理回路１４がメインＬＣＤ５に接続される。
【００１７】
ＣＰＵ１１は、キー入力部６の出力信号及びＲＯＭ１３上のプログラムに従って、ＣＣＤカメラ８、サブＬＣＤ９、フラッシュメモリ１２、及び画像処理回路１４の動作を制御する。ＣＰＵ１１は、電話機能の制御も行うが、ここでは説明を省略する。
【００１８】
以下、撮影が行われる際のカメラ付き携帯電話装置１００の動作について図３の回路ブロック図及び図４のフローチャート図を参照して説明する。
【００１９】
撮影が行われる際、ユーザのキー操作によりカメラモードが選択されると、キー入力部６は、カメラモードが選択された旨の信号をＣＰＵ１１に出力する。ＣＰＵ１１は、キー入力部６から送出されるカメラモードが選択された旨の信号を入力すると、ＣＣＤカメラ８を起動させる。ＣＣＤカメラ８は、レンズ８１を介して結像した映像を電気信号に変換して、該電気信号を所定のレベルに増幅したのち、画像処理回路１４に出力する。なお、ＣＣＤカメラ８は、レンズ８１を介して入力する光量に応じて電気信号を所定のレベルに増幅するためゲインを決定している。
【００２０】
画像処理回路１４は、アナログ信号であるＣＣＤカメラ８の出力信号をディジタル信号に変換したのち、所定の画像処理を施して画像信号を生成する。この画像信号がメインＬＣＤ５に送出される。これにより、メインＬＣＤ５がＣＣＤカメラ８で取り込まれた画像（動画）を表示する。
【００２１】
そして、図４のフローチャート図において、ＣＰＵ１１は、ＣＣＤカメラ８からＣＣＤカメラ８が入力している光量の情報を受け取り、該光量が所定値以上であるか否かを判定する（ステップＳ１０）。該光量が所定値以上であれば（ステップＳ１０のＹｅｓ）、ステップＳ３０に移行する。一方、該光量が所定値以上でなければ（ステップＳ１０のＮｏ）、ＣＰＵ１１は、フラッシュメモリ１２が予め記憶している「フラッシュを使用してください」などの警告メッセージを読み出し、その警告メッセージをサブＬＣＤ９に表示させ（ステップＳ２０）、その後ステップＳ３０に移行する。
【００２２】
ステップＳ３０では、ＣＰＵ１１がキー入力部６の出力信号に基づいてセルフタイマーモードであるか否かを判定する。なお、ユーザのキー操作によりセルフタイマーモードが選択されると、キー入力部６はセルフタイマーモードが選択された旨の信号をＣＰＵ１１に出力する。
【００２３】
セルフタイマーモードであれば（ステップＳ３０のＹｅｓ）、ＣＰＵ１１は内部タイマーを起動し（ステップＳ４０）、撮影までの残り時間を算出して撮影までの残り時間を１秒刻みでサブＬＣＤ９に表示させる（ステップＳ５０）。そして、ＣＰＵ１１は撮影までの残り時間がゼロであるか否かを判定し（ステップＳ６０）、撮影までの残り時間がゼロの場合はステップＳ１００に移行し、撮影までの残り時間がゼロでない場合はステップＳ５０に移行する。
【００２４】
一方、セルフタイマーモードでなければ（ステップＳ３０のＮｏ）、ＣＰＵ１１はキー入力部６の出力信号に基づきメッセージ表示モードであるか否かを判定する（ステップＳ７０）。なお、ユーザのキー操作によりメッセージ表示モードが選択されると、キー入力部６はメッセージ表示モードが選択された旨の信号をＣＰＵ１１に出力する。
【００２５】
メッセージ表示モードであれば（ステップＳ７０のＹｅｓ）、ＣＰＵ１１は、フラッシュメモリ１２が予め記憶している「はい、笑って！」などのメッセージを読み出し、そのメッセージをサブＬＣＤ９に表示させ（ステップＳ８０）、その後ステップＳ９０に移行する。なお、メッセージの文字数がサブＬＣＤ９の表示文字数よりも多い場合は、サブＬＣＤ９がスクロール表示を行うようにするとよい。また、フラッシュメモリ１２が予め記憶しているメッセージには、ＪＩＳに含まれる文字だけでなく絵文字等のＪＩＳに含まれない文字も用いることができるようにすることが望ましい。
【００２６】
また、メッセージ表示モードでなければ（ステップＳ７０のＮｏ）、ステップＳ９０に移行する。
【００２７】
ステップＳ９０では、ＣＰＵ１１が、キー入力部６の出力信号に基づいてシャッターボタンを定義するキーが押圧されたか否かを判定する。シャッターボタンを定義するキーが押圧されたのであれば（ステップＳ９０のＹｅｓ）、ステップＳ１００に移行する。
【００２８】
ステップＳ１００では、ＣＰＵ１１が、ＣＣＤカメラ８に静止画を撮影させる。その後、ＣＰＵ１１は、サブＬＣＤ９に表示を停止させ（ステップＳ１１０）、
撮影した静止画をメインＬＣＤ５に表示させる（ステップＳ１２０）。そして、ＣＰＵ１１の制御により、画像処理回路１４がアナログ信号であるＣＣＤカメラ８の出力信号をディジタル信号に変換したのち、所定の画像処理を施して画像信号を生成し、この画像信号に圧縮処理を施し圧縮画像データを生成する。ＣＰＵ１１の制御により、フラッシュメモリ１２が画像処理回路１４によって生成される圧縮画像データを格納する（ステップＳ１３０）。
【００２９】
ステップＳ１３０の処理を行ったのち、ＣＰＵ１１はカメラモードにおける処理を終了する。携帯電話装置に設けられるカメラの撮影距離は通常５０ｃｍ程度であるので、被写体（人物）はステップＳ２０、ステップＳ５０、及びステップＳ８０においてサブＬＣＤ９に表示される文字列を十分に読み取ることができる。したがって、カメラ付き携帯電話装置１００は、カメラ撮影の際に様々な詳細な情報を被写体（人物）に報知することができる。
【００３０】
なお、ＣＣＤカメラ８の撮影範囲から視認可能なＬＥＤが設けられている場合は、上記ステップＳ２０、ステップＳ５０、及びステップＳ８０におけるサブＬＣＤ９の表示に伴ってＬＥＤを点滅させてもよい。また、上記ステップＳ２０、ステップＳ５０、及びステップＳ８０におけるサブＬＣＤ９の表示に伴って音を発するようにしてもよい。
【００３１】
なお、ステップＳ７０からステップＳ１００において、キー入力部６のシャッターボタンを定義するキーに２段式のキーを用いて、第１段目のキーの押圧によってカメラ部８が焦点を合わせると共に、サブＬＣＤ９に上述したメッセージを表示させ、第２段目のキーの押圧で撮影を行うようにしてもよい。このようにすることで、被写体（人物）は間もなく撮影されることを知ることができるので、シャッタータイミングに合わせてポーズをとることができる。
【００３２】
また、上述した実施形態では、ＣＣＤカメラ８のレンズ８１とサブＬＣＤ９とを筐体１の同一面に設けた構成のカメラ付き携帯電話装置について説明したが、本発明はこれに限定されることはなく、例えば互いに折り畳み可能な二つの筐体からなり、一方の筐体の背面にカメラを設け、他方の筐体の背面に表示手段を設けるカメラ付き携帯電話装置も、前記二つの筐体が互いに折り畳まれていない状態において前記カメラの撮影範囲から前記表示手段の表示を視認できるので、本発明に含まれ得る。
【００３３】
【発明の効果】
本発明によると、カメラ付き携帯電話装置が、被写体を撮影するカメラと、表示手段と、所定の情報を記憶する記憶手段と、前記カメラが前記被写体を撮影するときに前記表示手段に前記所定の情報を表示させる制御手段と、を備え、前記カメラの撮影範囲から前記表示手段の表示を視認できるようにしているので、被写体（人物）がカメラの撮影のときに前記表示手段に表示されたメッセージなどの所定の情報を見ることができる。そして、携帯電話装置に設けられるカメラの撮影距離は通常５０ｃｍ程度であるので、被写体（人物）は前記表示手段に表示されたメッセージなどの所定の情報を十分読み取ることができる。これにより、カメラ撮影の際に詳細な情報を被写体に報知することができる。
【００３４】
また、本発明によると、上記構成に加え、二つの筐体から成り、前記二つの筐体が互いに折り畳み可能な折り畳み構造のカメラ付き携帯電話装置であって、前記カメラと前記表示手段とを同一筐体の同一面に設けるので、カメラ撮影時に被写体（人物）が前記表示手段の画面を見る場合でも被写体（人物）の目線が前記カメラから大きくはずれなくなる。また、二つの筐体を途中まで折り畳んだ状態（例えば９０度折り畳んだ状態）にすることによって、前記カメラ及び前記表示手段を具備していない筐体の外側面（背面）を台にして用いてカメラ撮影をすることができる。
【図面の簡単な説明】
【図１】  本発明に係るカメラ付き携帯電話装置の外観を示す図である。
【図２】  ９０度折り畳まれた状態の本発明に係るカメラ付き携帯電話装置の外観を示す図である。
【図３】  図１のカメラ付き携帯電話装置のカメラ機能に関する回路ブロック図である。
【図４】  図３に示したＣＰＵのカメラモードにおける動作を示すフローチャートである。
【図５】  セルフタイマー機能を有する従来のカメラ付き携帯電話装置の外観を示す図である。
【符号の説明】
１、２    筐体
６    キー入力部
８    ＣＣＤカメラ
９    サブＬＣＤ
１１    ＣＰＵ
１２    フラッシュメモリ
１３    ＲＯＭ
【図１】
0004313545.tif 000002
【図２】
0004313545.tif 000003
【図３】
0004313545.tif 000004
【図４】
0004313545.tif 000005
【図５】
0004313545.tif 000006